(57)【特許請求の範囲】
【請求項１】
水を電気分解する電極ユニットと、
前記電極ユニットへの通電を制御する電極制御部とを有し、
前記電極制御部は、
前記電極ユニットへの通電時間を記憶する通電時間記憶手段と、
前記電極ユニットへの通電を停止する非通電時間を記憶する非通電時間記憶手段と、
前記電極ユニットへの通電・非通電を行う通電手段と、
前記電極ユニットの通電路を反転する通電路反転手段と、
前記通電手段による通電開始、または、非通電開始からの経過時間をカウントするカウント手段とを備え、
前記通電手段は、前記通電時間記憶手段に記憶された前記通電時間と前記非通電時間記憶手段に記憶された前記非通電時間、および、前記カウント手段がカウントする経過時間に基づいて通電と非通電を交互に切り替えて間欠通電し、
前記通電路反転手段は、前記カウント手段が非通電開始からカウントする経過時間と前記非通電時間記憶手段に記憶された前記非通電時間を比較して、非通電が終了する所定時間前に通電路を反転させ、
該反転後であって前記通電手段によって再通電する前に、前記水中において偏った電荷を移動させるように、前記電極ユニットの反転前における負極側から前記水を介して正極側に電流を流す閉回路を形成する空気清浄装置。
【請求項２】
前記通電路反転手段は、前記非通電時において、
前記カウント手段によりカウントされた経過時間が、前記記憶された非通電時間の９０％以上経過し、かつ前記記憶された非通電時間の終了に対して１秒以上前に通電路を反転させる請求項１記載の空気清浄装置。
【請求項３】
前記通電路反転手段は、前記非通電時において、
前記カウント手段によりカウントされた経過時間が、前記記憶された非通電時間の９０％以上経過し、かつ前記記憶された非通電時間の終了に対して１秒から１０秒前の間に通電路を反転させる請求項２記載の空気清浄装置。
【請求項４】
前記電極ユニットの異極間に、前記電気分解の対象となる水の前記電極ユニット間における抵抗値よりも大きい抵抗値の抵抗を配置した請求項１から３のいずれかに記載の空気清浄装置。
【請求項５】
前記抵抗における抵抗値は、
前記通電時に流れる電流値が前記電極ユニットへ流れる電流の１％以下となる抵抗値とした請求項４記載の空気清浄装置。
【請求項６】
前記通電路反転手段による反転後に前記電極ユニットの反転前における負極側から前記水を介して正極側に電流を流す閉回路は、
前記通電路反転手段が備える整流手段により形成される請求項１から５のいずれかに記載の空気清浄装置。
【発明の詳細な説明】
【技術分野】
【０００１】
本発明は、水を電気分解して次亜塩素酸を生成し細菌やウイルスなどの浮遊微生物を不活性化する空気清浄装置に関する。
【背景技術】
【０００２】
従来、この種に関する空気清浄装置は、水道水を電気分解し次亜塩素酸を発生させ、そこに室内の空気を循環させることで細菌やウイルスを駆除するものが知られている。
【０００３】
塩水を電気分解する装置は、ＰＷＭ制御によって電極に流す電流を強弱制御する電極電圧制御部と、電極の極性を切り替える電極切替部を設けている。そして電極間に大電流と小電流を、電流停止期間を挟んで一定時間ずつ流すことを繰り返す制御を行いつつ、小電流を流した後の停止期間毎に電極間の電流方向を逆転させる制御をするものである。
【０００４】
ここで電極制御において、一定方向に長時間、直流をかけてしまうと片側の電極にスケールが付着してしまい、次亜塩素酸の発生効率が低下する。この電極へのスケール付着を抑制するために、電極電流を一定時間ごとに間欠印加し、極性も一定時間ごとに反転する制御を行うことで、電極の劣化を防止できるものが知られている。（例えば、特許文献１参照）。
【先行技術文献】
【特許文献】
【０００５】
【特許文献１】特開２０１２−０５２６９８号公報
【発明の概要】
【発明が解決しようとする課題】
【０００６】
このような従来の空気清浄装置では、次亜塩素酸の発生量を増加させるために、電気分解対象の水に塩などを溶かし、塩化物イオン濃度を高めることも考えられる。
【０００７】
この場合、塩化物イオン濃度を高めたことにより、電気分解対象の水の導電率が大きく
なり、電極の極性を反転した後に通電を開始すると、一時的に電極の極性反転前よりも大きな電流が電極に流れることが、実験などの結果判明した。
【０００８】
この極性反転時の一時的な大電流が発生する理由は、極性反転前の通電により各電極に偏っていたイオンが、極性反転により反対電極へと反発移動するためであると推測できる。
【０００９】
そして、この極性反転時の一時的な大電流が電極を劣化させる恐れがあるという課題を有していた。
【００１０】
そこで本発明は、上記従来の課題を解決するものであり、電気分解対象の水の導電率が高い場合であっても、電極の極性反転後の通電時に流れる電流のピーク値を抑制することで、電極の劣化を抑制できる空気清浄装置を提供することを目的とする。
【課題を解決するための手段】
【００１１】
そして、この目的を達成するために、本発明の空気清浄装置は、水を電気分解する電極ユニットと、前記電極ユニットへの通電を制御する電極制御部とを有し、前記電極制御部は、前記電極ユニットへの通電時間を記憶する通電時間記憶手段と、前記電極ユニットへの通電を停止する非通電時間を記憶する非通電時間記憶手段と、前記電極ユニットへの通電・非通電を行う通電手段と、前記電極ユニットの通電路を反転する通電路反転手段と、前記通電手段による通電開始、または、非通電開始からの経過時間をカウントするカウント手段とを備え、前記通電手段は、前記通電時間記憶手段に記憶された前記通電時間と前記非通電時間記憶手段に記憶された前記非通電時間、および、前記カウント手段がカウントする経過時間に基づいて通電と非通電を交互に切り替えて間欠通電し、前記通電路反転手段は、前記カウント手段が非通電開始からカウントする経過時間と前記非通電時間記憶手段に記憶された前記非通電時間を比較して、非通電が終了する所定時間前に通電路を反転させ、該反転後であって前記通電手段によって再通電する前に、前記水中において偏った電荷を移動させるように、前記電極ユニットの反転前における負極側から前記水を介して正極側に電流を流す閉回路を形成するものであり、これにより所期の目的を達成するものである。
【発明の効果】
【００１２】
本発明によれば、電極の極性反転後の通電時に流れる電流のピーク値を抑制することができ、電極の劣化を抑制することが出来る。
【図面の簡単な説明】
【００１３】
【図１】本発明の実施の形態１に係る空気清浄装置の概観図
【図２】実施の形態１に係る電極制御部の構成図
【図３】実施の形態１に係る通電路反転手段の構成図
【図４】実施の形態１に係る電極制御部のフローチャート
【図５】本実施の形態１でのＳ１において前記電極板Ａ９ａが正極となる場合の、Ｓ１からＳ３における電流の流れを示す図
【図６】本実施の形態１でのＳ１において前記電極板Ａ９ａが正極となる場合の、Ｓ４からＳ６における電流の流れを示す図
【図７】本実施の形態１でのＳ１において前記電極板Ａ９ａが正極となる場合の、Ｓ７からＳ９における電流の流れを示す図
【図８】本実施の形態１でのＳ１において前記電極板Ｂ９ｂが正極となる場合の、Ｓ１からＳ３における電流の流れを示す図
【図９】本実施の形態１でのＳ１において前記電極板Ｂ９ｂが正極となる場合の、Ｓ４からＳ６における電流の流れを示す図
【図１０】本実施の形態１でのＳ１において前記電極板Ｂ９ｂが正極となる場合の、Ｓ７からＳ９における電流の流れを示す図
【図１１】本実施の形態１での前記非通電時間と前記所定時間Ａとの差を０．１秒、１秒、１０秒とした時の前記電極ユニット９に流れる電流値例を示す図
【図１２】本実施の形態１でのＳ４からＳ８における前記電極板Ａ９ａと前記電極板Ｂ９ｂとの間の電位の時間経過を示す図
【図１３】本実施の形態１での抵抗１５の配置構成図
【発明を実施するための形態】
【００１４】
本発明に係る空気清浄装置は、水を電気分解する電極ユニットと、前記電極ユニットへの通電を制御する電極制御部とを有し、前記電極制御部は、前記電極ユニットへの通電時間を記憶する通電時間記憶手段と、前記電極ユニットへの通電を停止する非通電時間を記憶する非通電時間記憶手段と、前記電極ユニットへの通電・非通電を行う通電手段と、前記電極ユニットの通電路を反転する通電路反転手段と、前記通電手段による通電開始、または、非通電開始からの経過時間をカウントするカウント手段とを備え、前記通電手段は、前記通電時間記憶手段に記憶された前記通電時間と前記非通電時間記憶手段に記憶された前記非通電時間、および、前記カウント手段がカウントする経過時間に基づいて通電と非通電を交互に切り替えて間欠通電し、前記通電路反転手段は、前記カウント手段が非通電開始からカウントする経過時間と前記非通電時間記憶手段に記憶された前記非通電時間を比較して、非通電が終了する所定時間前に通電路を反転させ、該反転後であって前記通電手段によって再通電する前に、前記水中において偏った電荷を移動させるように、前記電極ユニットの反転前における負極側から前記水を介して正極側に電流を流す閉回路を形成するものである。
【００１５】
これにより、前記電極ユニットの極性反転後の前記通電手段による通電時に始めて前記電極ユニット間に流れる電流の向きが反転するのではなく、前記通電手段による通電前に前記電極ユニット間に流れる電流の向きを反転することができる。このように前記電極ユニットの極性反転後の通電前に前記電極ユニット間に流れる電流の向きを反転することにより、通電時に前記電極ユニット間のイオンが反発移動する量を減らすことができる。つまり、前記電極ユニットの極性反転後の通電時に流れる電流のピーク値を抑制することができ、前記電極ユニットの劣化を抑制するという効果を奏する。
【００１６】
また、前記通電路反転手段は、前記非通電時において、前記カウント手段によりカウントされた経過時間が、前記記憶された非通電時間の９０％以上経過し、かつ前記記憶された非通電時間の終了に対して１秒以上前に通電路を反転させるという構成にしてもよい。
【００１７】
これにより、非通電時間中に前記電極ユニット間の電位が自然放電等で低くなった後に、前記電極ユニットの通電路を反転することができるので、前記電極ユニットの極性反転後の前記通電手段による通電時に流れる電流のピーク値だけでなく、通電路反転時の電流ピーク値も抑制することがき、前記電極ユニットの劣化を抑制するという効果を奏する。
【００１８】
また、前記通電路反転手段は、前記非通電時において、前記カウント手段によりカウントされた経過時間が、前記記憶された非通電時間の９０％以上経過し、かつ前記記憶された非通電時間の終了に対して１秒から１０秒前の間に通電路を反転させるという構成にしてもよい。
【００１９】
これにより、前記電極ユニットに流れるピーク電流を抑制するために必要な時間のみ、通電前に前記電極ユニットに電流を流すことにより、不要な通電による電極劣化を抑制するという効果を奏する。
【００２０】
また、前記電極ユニットの異極間に、前記電気分解の対象となる水の前記電極ユニット間における抵抗値よりも大きい抵抗値の抵抗を配置する構成としてもよい。
【００２１】
これにより、非通電時間中における電極間の電位低下を自然放電以上にすすめることができ、自然放電時以上に通電路反転時の電流ピーク値を抑制することができ、前記電極ユニットの劣化を抑制するという効果を奏する。
【００２２】
また、前記抵抗における抵抗値は、前記通電時に流れる電流値が前記電極ユニットへ流れる電流の１％以下となる抵抗値とする構成にしてもよい。
【００２３】
これにより、前記電極ユニットの電流検知を行う場合、前記電極ユニットへ流れる電流と前記抵抗へ流れる電流とが合算された電流値として検知しても、前記電極ユニットへ流れる電流値との電流値の差が小さくなり、廉価な電流検知を行うことができる。
【００２４】
また、前記通電路反転手段による反転後に前記電極ユニットの反転前における負極側から前記水を介して正極側に電流を流す閉回路は、前記通電路反転手段が備える整流手段により形成される構成としてもよい。
【００２５】
これにより、反転後に前記電極ユニットの反転前における負極側から前記水を介して正極側に電流を流す通電を簡易に行うことができるので、簡易に前記電極ユニットの劣化を抑制するという効果を奏する。
【００２６】
以下、本発明の実施の形態について図面を参照しながら説明する。なお、以下の実施の形態は、本発明を具体化した一例であって本発明の技術的範囲を限定するものではない。また、全図面を通して、同一の部位については同一の符号を付して二度目以降の説明を省略している。さらに、各図面において、本発明に直接には関係しない各部の詳細については説明を省略している。
（実施の形態１）
本発明の実施の形態１に係る空気清浄装置を図１を参照しながら説明する。
【００２７】
空気清浄機を構成する筐体１は、吸込口２と吹出口３とファン７とフィルタ６とトレイ４と電極ユニット９と空気清浄制御部１０とを備えている。
【００２８】
吸込口２は、筺体１の内部へ空気を流入させるための開口部である。
【００２９】
吹出口３は、筺体１の内部で除菌した空気を筐体１外に放出するための開口部である。
【００３０】
風路８は、吸込口２とフィルタ６と吹出口３を連通する。
【００３１】
ファン７は、モータに接続されており、モータの回転により気流を発生する。この気流は吸込口２から吹出口３への気流となり、すなわちファン７は、室内の空気を、筐体１内部を介して吹出口３に誘導する。
【００３２】
フィルタ６は、吸水性繊維素材からなり、通過する空気を電解水に接触させて空気を除菌する気液接触機能を果たすものである。フィルタ６は、円盤状にして中心軸を回転中心として回転する。フィルタ６は、回転によりトレイ４内の電解水に浸透させて電解水を含ませ、さらに回転して電解水に浸らない状態で吸込口２から吹出口３に至る風路に曝される。フィルタ６は、次亜塩素酸を含んだ電解水を含んだ状態で、吸込口２から吸込んだ室内の空気を通過させることで、空気に含まれるウイルスや臭い物質を分解、不活性化し、すなわち空気清浄する。
【００３３】
トレイ４は、内部に水５を貯めこみ、フィルタ６の一部と電極ユニット９の一部とを浸水し配置される。
【００３４】
電極ユニット９は、内部に少なくとも一対の電極（電極板Ａ９ａ及び電極板Ｂ９ｂ）を有し、電極間に電圧を印加することにより、トレイ４内の塩化物イオンを含む水を電気分解することで、次亜塩素酸を含む電解水を生成する。次亜塩素酸は、活性酸素種に含まれ、強力な酸化作用や漂白作用を有する。次亜塩素酸が溶解した水溶液、すなわち生成される電解水は、ウイルス等の不活化、殺菌、有機化合物の分解等、種々の空気清浄効果を発揮する。なお、塩化物イオン濃度を高めることが次亜塩素酸の発生量を増加させることができるため、本実施の形態では、水５に塩を投入することによりトレイ４内の水の塩化物イオン濃度を高めているものである。
【００３５】
空気清浄制御部１０は、電極制御部１１と電極制御以外の動作、例えばファン７の駆動などを制御する一般制御部１２とからなる。
【００３６】
図２に、電極制御部１１の構成図を示す。
【００３７】
電極制御部１１は、通電手段１３と制御手段１６と通電路反転手段１４とを備えている。
【００３８】
通電手段１３は、例えばステップダウン型のＤＣＤＣコンバータ等からなり、回路グランド１９との間に電圧を生成するものである。通電手段１３は、電極ユニット９への通電と停止、すなわち非通電とを交互に切り替えて間欠通電するものである。通電手段１３は、通電と非通電の切り替えを、制御手段１６からの指示により行う。
【００３９】
制御手段１６は、非通電時間記憶手段１７と通電時間記憶手段３０とカウント手段１８とを備えている。
【００４０】
非通電時間記憶手段１７は、電極ユニット９への通電を停止する時間である非通電時間を記憶する。具体的には、例えば２０分等である。
【００４１】
通電時間記憶手段３０は、電極ユニット９の通電時間を記憶する。具体的には、例えば１０分等である。
【００４２】
カウント手段１８は、電極ユニット９への通電時における通電開始からの経過時間及び非通電時における通電停止からの経過時間をカウントする。具体的には、制御手段１６が通電手段１３に対して通電命令及び通電停止命令を送信した時点からの時間をカウントする。
【００４３】
制御手段１６は、通電時間記憶手段３０に記憶された通電時間と、非通電時間記憶手段１７に記憶された非通電時間とに基づいて、通電手段１３に対して通電命令と通電停止命令とを交互に送信する。これにより、通電手段１３は、電極ユニット９を通電時間の間、通電状態とし、非通電時間の間、非通電（停止）状態とし、これらを交互に切り替え、すなわち間欠通電する。
【００４４】
通電路反転手段１４は、図３に示すように、切替スイッチ２０と整流手段２１とを備え、電極ユニット９に印加する電圧の極性を切り替える。
【００４５】
切替スイッチ２０は、リレー等からなり、制御手段１６からの指示により通電路を切り
替える。
【００４６】
整流手段２１は、ダイオード等からなり、通電手段１３による電極ユニット９への通電時には順方向には電流が流れず、かつ電極ユニット９への非通電時には順方向に電流が流れるように配置されている。具体的には、整流手段２１の整流後側を通電手段１３の出力側に接続し、整流手段２１の整流前側を切替スイッチ２０と回路グランド１９との間に接続する。これにより、反転後に電極ユニット９の反転前における負極側から水５を介して正極側に電流を流す通電を簡易に行うことができる。
【００４７】
また、図４を用いて電極制御部１１の制御シーケンスを説明する。なお図４におけるＳはステップを意味する。
【００４８】
空気清浄機の運転が開始され、すなわち電極制御部１１により電極制御が開始されると、電極ユニット９への通電が開始される（Ｓ１）。
【００４９】
次に電極制御部１１は、カウント手段１８をスタートさせ、通電時間を計測する（Ｓ２）。
【００５０】
電極制御部１１は、カウント手段１８の経過時間が通電時間記憶手段３０に記憶された通電時間に到達したかどうかを判断する（Ｓ３ＮＯ）。なお除菌能力を高くしたい場合は、通電時間を長くすればよい。この電極ユニット９への通電により電気分解が行われ、次亜塩素酸が生成される。
【００５１】
カウント手段１８によるカウントが通電時間記憶手段３０に記憶された通電時間に達すると、電極制御部１１は、制御手段１６を介して通電手段１３に通電停止命令を送信し、電極ユニット９への通電を停止する（Ｓ３ＹＥＳ→Ｓ４）。
【００５２】
また、電極制御部１１は、カウント手段１８をリセットし、すなわち非通電時における通電停止からの経過時間の計測を開始する（Ｓ５）。
【００５３】
電極制御部１１は、カウント手段１８の通電停止からのカウントが所定時間Ａかどうかを判断する。所定時間Ａは、非通電時間記憶手段１７によって記憶した非通電時間の９０％以上経過した時間であって、かつ１秒以上前の時間である。つまり、記憶した非通電時間を２０分とすると、所定時間Ａは１８分〜１９分５９秒の間で決めればよいことになり、ここでは、１９分５０秒とする。
【００５４】
カウント手段１８によるカウントが所定時間Ａに到達すると、電極制御部１１は、通電路反転手段１４を介して電極ユニット９の通電路を切替える（Ｓ６ＹＥＳ→Ｓ７）。
【００５５】
電極制御部１１は、非通電状態において電極ユニット９の通電路を切り替えた後、カウント手段１８の通電停止からのカウントが非通電時間記憶手段１７によって記憶した非通電時間に到達したかどうかを判断する（Ｓ８）。つまり、非通電時間が終了かどうかを判断するものである。
【００５６】
カウント手段１８の通電停止からのカウントが非通電時間記憶手段１７によって記憶した非通電時間に到達した場合、電極制御部１１は、再度、電極ユニット９への通電を開始し、同時にカウント手段１８のカウントをリセットする（Ｓ９→Ｓ１→Ｓ２）。
【００５７】
Ｓ１からＳ９を繰り返すことにより、電極ユニット９への通電を間欠で行い、かつ極性を非通電時間毎に切替えることになる。
【００５８】
続いて、図５から図７を用いて、Ｓ１において電極板Ａ９ａが正極となる場合の、電極制御部１１と電極ユニット９に流れる電流の流れを説明する。
【００５９】
図５には、Ｓ１において電極板Ａ９ａが正極となる場合の、Ｓ１からＳ３における電流の流れの一例を示している。つまり、通電手段１３の出力側と電極板Ａ９ａとを接続することにより電極板Ａ９ａが正極となり、電極ユニットに流れる電流は、水５中を電極板Ａ９ａから電極板Ｂ９ｂの向きに流れることとなる。
【００６０】
図６には、Ｓ１において電極板Ａ９ａが正極となる場合の、Ｓ４からＳ６における電流の流れの一例を示している。つまり、通電手段１３は通電停止していることと、整流手段２１の整流後側と正極の状態である電極板Ａ９ａが接続されるため、電極ユニットに電流は流れない。
【００６１】
図７には、Ｓ１において電極板Ａ９ａが正極となる場合の、Ｓ７からＳ９における電流の流れの一例を示している。つまり、切替スイッチ２０による通電路反転が行われ、整流手段２１の整流前側と正極の状態である電極板Ａ９ａが接続され、整流手段２１に電流が流れる。これにより、電極ユニット９に流れる電流は、水５中を電極板Ｂ９ｂから電極板Ａ９ａの向きに電流を流すこととなる。
【００６２】
また、図８から図１０を用いて、Ｓ１において電極板Ｂ９ｂが正極となる場合の、電極制御部１１と電極ユニット９に流れる電流の流れを説明する。
【００６３】
図８には、Ｓ１において電極板Ｂ９ｂが正極となる場合の、Ｓ１からＳ３における電流の流れの一例を示している。つまり、通電手段１３の出力側と電極板Ｂ９ｂとを接続することにより電極板Ｂ９ｂが正極となり、電極ユニット９に流れる電流は、水５中を電極板Ｂ９ｂから電極板Ａ９ａの向きに流れることとなる。
【００６４】
図９には、Ｓ１において電極板Ｂ９ｂが正極となる場合の、Ｓ４からＳ６における電流の流れの一例を示している。つまり、通電手段１３は通電停止していることと、整流手段２１の整流後側と正極の状態である電極板Ｂ９ｂが接続されるため、電極ユニットに電流は流れない。
【００６５】
図１０には、Ｓ１において電極板Ｂ９ｂが正極となる場合の、Ｓ７からＳ９における電流の流れの一例を示している。つまり、切替スイッチ２０による通電路反転が行われ、整流手段２１の整流前側と正極の状態である電極板Ｂ９ｂが接続され、整流手段２１に電流が流れる。これにより、電極ユニット９に流れる電流は、水５中を電極板Ａ９ａから電極板Ｂ９ｂの向きに流れることとなる。
【００６６】
また、図４におけるＳ７、Ｓ８、Ｓ９、Ｓ１と処理することにより、非通電時間（例えば２０分）と所定時間Ａ（例えば１９分５０秒）との差（ここでは１０秒）だけ通電開始の前に通電路を反転している。これにより、図７または図１０に示した状態、すなわち非通電時間と所定時間Ａとの差の時間分（１０秒）、整流手段２１と電極ユニット９に電流を流すこととなる。
【００６７】
これにより、電極ユニット９の通電路反転後の通電手段１３による通電時に始めて電極ユニット９に流れる電流の向きが反転するのではなく、通電手段１３による通電前に前記電極ユニット９に流れる電流の向きを反転することができる。このように電極ユニット９の通電路反転後の通電前に前記電極ユニット間に流れる電流の向きを反転することにより、通電時に電極板Ａ９ａと電極板Ｂ９ｂとの間のイオンが反発移動する量を減らすことが
できる。つまり、電極ユニット９に極性反転後の通電時に流れるピーク電流を抑制することが可能となるのである。
【００６８】
上述の制御による効果を図１１に示す。図１１には、非通電時間と所定時間Ａとの差を０．１秒（破線）、１秒（一点破線）、１０秒（実線）とした時の電極ユニット９に流れる電流値を示す。これによると、非通電時間と所定時間Ａとの差が大きいとピーク電流が小さくなることが分かる。
【００６９】
これにより、電極ユニット９の極性反転後の通電時に流れる電流のピーク値を抑制することがき、電極ユニットの劣化を抑制することとなる。
【００７０】
図１２には、非通電状態であるＳ４からＳ８における、電極板Ａ９ａと電極板Ｂ９ｂとの間の電位の時間経過を示している。これによると、電極ユニット９に発生する電位は、自然放電によって非通電時間の経過とともに低くなっていることが分かる。このように電極ユニット９の電位が低くなってから電極ユニット９の通電路をＳ７で（反転）することができるので、電極ユニット９の極性反転後の通電時に流れる電流のピーク値だけでなく、通電路反転時の電流ピーク値も抑制することがき、電極ユニット９の劣化を抑制することとなる。本願では、非通電時間の９０％以上経過後に切替を行うことで、非通電時間に例えば即時切替を行うのに比較して、劣化を抑制している。
（変形例）
また、本説明では、通電時間を１０分、非通電時間を２０分としたが、必要とする除菌能力に合わせて変更してもよい。
【００７１】
また、通電手段１３は、電極ユニット９へ通電を行う電圧を通電開始時から徐々に上昇させるものであるとなおよい。
【００７２】
また、図１３に示すように電極板Ａ９ａと電極板Ｂ９ｂ、すなわち異極間に抵抗１５を配置する構成としてもよい。
【００７３】
抵抗１５の値は、水５の電極板Ａ９ａと電極板Ｂ９ｂとの間の抵抗値よりも大きいものである。例えば、水５の導電率が１００μＳ／ｃｍ、電極板Ａ９ａと電極板Ｂ９ｂとの間の距離を１ｃｍ、電極板Ａ９ａと電極板Ｂ９ｂの対向面積を１００ｃｍ＾２とすると、水５の電極板Ａ９ａと電極板Ｂ９ｂとの間の抵抗値は、１００Ωとなり、抵抗１５は１００Ωよりも大きい値であればよく、ここでは１０ｋΩとする。
【００７４】
こうすることで、自然放電に加えて抵抗１５による放電もできるため、非通電時間における電極ユニット９の電位はさらに低く抑えることができる。これにより、通電路反転時の電流ピーク値も抑制することがき、電極ユニット９の劣化を抑制することとなる。  抵抗１５の値は、例えば通電手段１３による通電時に、電極ユニット９に流れる電流値の１％以下が抵抗１５に流れる値である。例えば、電極ユニット９の両端電位を７Ｖで、電極ユニットに流れる電流を８００ｍＡとした時、抵抗１５は８７５Ω以上であればよく、ここでは１０ｋΩとする。
【００７５】
こうすることで、自然放電に加えて抵抗１５による放電もできるため、非通電時間における電極ユニット９の電位はさらに低く抑えることができる。これにより、通電路反転時の電流ピーク値も抑制することがき、電極ユニット９の劣化を抑制することとなる。さらに、通電手段１３などで電極ユニット９の電流検知を行う場合、電極ユニット９へ流れる電流と抵抗１５へ流れる電流とが合算された電流値として検知しても、電極ユニットへ流れる電流値との電流値の差が小さくなり、廉価な電流検知を行うことができることとなる。
【産業上の利用可能性】
【００７６】
本発明にかかる電極ユニットの制御手段を備えた空気清浄装置は、小型で廉価な水浄化機能付き加湿装置に適用できる。
【符号の説明】
【００７７】
１    筐体
２    吸込口
３    吹出口
４    トレイ
５    水
６    フィルタ
７    ファン
８    風路
９    電極ユニット
９ａ    電極板Ａ
９ｂ    電極板Ｂ
１０    空気清浄制御部
１１    電極制御部
１２    一般制御部
１３    通電手段
１４    通電路反転手段
１５    抵抗
１６    制御手段
１７    非通電時間記憶手段
１８    カウント手段
１９    回路グランド
２０    切替スイッチ
２１    整流手段
３０    通電時間記憶手段
【図１】
0006731576.tif 000002
【図２】
0006731576.tif 000003
【図３】
0006731576.tif 000004
【図４】
0006731576.tif 000005
【図５】
0006731576.tif 000006
【図６】
0006731576.tif 000007
【図７】
0006731576.tif 000008
【図８】
0006731576.tif 000009
【図９】
0006731576.tif 000010
【図１０】
0006731576.tif 000011
【図１１】
0006731576.tif 000012
【図１２】
0006731576.tif 000013
【図１３】
0006731576.tif 000014